(57)【要約】      （修正有）【課題】動作が可能なブロック玩具のエンジンブロックと、エンジンブロックに結合されて作動する動作ブロックとの結合構造を提供する。【解決手段】エンジンブロックと動作ブロックが堅固に結合される動作ブロックとの結合構造において、動作が可能なブロック玩具のエンジンブロック１０のブロック面の中央に、ブロック面に垂直方向に形成される溝型のギア連結部１１があるブロック面に備えられる第１結合部と、エンジンブロック１０に結合されて作動する動作ブロックのブロック面の中央に、ブロック面に垂直方向に形成される突出型のギア連結部があるブロック面に備えられる第２結合部とを含む。【選択図】図３
0003200641.tif 000002
【実用新案登録請求の範囲】
【請求項１】
動作が可能なブロック玩具のエンジンブロック１０のブロック面の中央に、ブロック面に垂直方向に形成される溝型のギア連結部１１があるブロック面に備えられる第１結合部１２と、エンジンブロック１０に結合されて作動する動作ブロック２０のブロック面の中央に、ブロック面に垂直方向に形成される突出型のギア連結部２１があるブロック面に備えられる第２結合部２２とを含み、、
前記第１結合部１２は、エンジンブロック１０の左右底面に形成される溝型のギア連結部１１で一定の間隔を離隔して、ブロック面に垂直方向に中空の円筒形状の周囲に沿って前後左右に形成される外側に開放された形状の第１突出部１３、前記第１突出部１３の形状内に垂直方向に形成され、上端に外側に突出した顎が備えられる第１突起１４、および一つの第１突出部１３ともう一つの第１突出部１３との間に形成される第１溝部１５を含み、
前記第２結合部２２は、動作ブロック２０のエンジンブロック１０と結合されるブロック面に形成される突出型のギア連結部２１で一定の間隔を離隔して、ブロック面に垂直方向に中空の円筒形状の周囲に沿ってエンジンブロック１０と動作ブロック２０が結合されると、エンジンブロック１０の第１溝部１５に差し込まれるように形成される外側に開放された形状の第２突出部２３、前記第２突出部２３の形状内に垂直方向に形成され、上端に外側に突出した顎が備えられる第２突起２４、エンジンブロック１０と動作ブロック２０が結合されると、エンジンブロック１０の第１突出部１３と第１突起１４が差し込まれるように一つの第２突出部２３と、もう一つの第２突出部２３との間に形成される第２溝部２５を含むことを特徴とする動作が可能なブロック玩具のエンジンブロックとエンジンブロックに結合されて作動する動作ブロックとの結合構造。
【請求項２】
前記第１突出部１３と第２突出部２３、前記第１突起１４と第２突起２４、前記第１溝部１５と第２溝部２５は、それぞれ互いに同一の形状で具備され、エンジンブロック１０と動作ブロック２０が結合されると、第１突出部１３が第２溝部２５に、第２突出部２３が第１溝部１５に挿入され、第１突起１４が第２溝部２５に、第２突起２４が第１溝部１５に弾力的に差し込まれながらエンジンブロック１０と動作ブロック２０が結合されることを特徴とする請求項１に記載の動作が可能なブロック玩具のエンジンブロックとエンジンブロックに結合されて作動する動作ブロックとの結合構造。
【考案の詳細な説明】
【技術分野】
【０００１】
本考案は、動作が可能なブロック玩具のエンジンブロックと、エンジンブロックに結合されて作動する動作ブロックとの結合構造に関するもので、より詳細には、動作が可能なブロック玩具のエンジンブロックのギア連結部が備えられるブロック面と、エンジンブロックに結合されて作動する動作ブロックのギア連結部が備えられるブロック面に、それぞれ結合部を形成して、両結合部が互いに噛み合わせるように挟まれて、エンジンブロックと動作ブロックが堅固に結合される動作が可能なブロック玩具のエンジンブロックと、エンジンブロックに結合されて作動する動作ブロックとの結合構造に関するものである。
【背景技術】
【０００２】
一般的に、子供たちが楽しんで使う玩具のうち完成品で作られたのは、子供たちの創造力を開発させることができないという欠点があるが、近頃には、子供たちが玩具を直接に組み立て、分解する過程を通じて創造性を向上させ、知能発達を助けることができる様々なブロック玩具が開発されて市販されている。
【０００３】
ブロック玩具は、複数のブロックを結合して造形物を組み立てる方法から、より発展してバッテリーが挿入されてパワーを提供するパワーブロック、パワーブロックに結合されギア部が内蔵されて回転運動するエンジンブロック、エンジンブロックに結合されギア部が内蔵されて回転運動、歩行運動、ピストン運動、スライド運動などの動作が可能な動作ブロックなどが設けられて、エンジンブロックに動作ブロックが結合されて、ブロック玩具全体が完成されると、回転運動、歩行運動、ピストン運動、スライド運動などの動作が可能なブロック玩具セットが市販されている。
【０００４】
例えば、Ｇ社のブロック玩具であるＭ製品は、エンジンブロックの回転運動が動作ブロックと結合して、回転運動、歩行運動、ピストン運動などの動作を持つ造形物の製作が可能なブロック玩具セットとして、パワーブロック、エンジンブロック、動作ブロック（回転ブロック、ウォーキングブロック、ピストンブロックなど）が含まれている。
【０００５】
ところが、図１に示すように、上記のＭ製品は、エンジンブロックと動作ブロックの組み合わせが、エンジンブロックの溝型のギア連結部と動作ブロックの突出型のギア連結部との結合を介して行われるが、各ギア連結部を取り囲む中空の円筒状の周囲に鋸歯構造が形成されて、両鋸歯構造が互いに噛み合わせるようになっているが、パワーを出すエンジンブロックと、これに結合されて作動する動作ブロックとの組み合わせが堅固でない問題がある。つまり、溝型のギア連結部と突出型のギア連結部との結合を介してエンジンブロックと動作ブロックが結合されると、両ギア連結部の軸方向の結合は維持されるが、これに直交する方向の結合は、固定されず、左右側から上下に傾くなど堅固ていなかったのだ。
【０００６】
したがって、エンジンブロックに動作ブロックが結合されても動作が可能なブロック玩具の作動がスムーズできず、動作ブロックの突出型のギア連結部が備えられるブロック面に前記ブロック面の大きさの四辺形の周囲部を有するブロック｛以下「図形ブロック（３００）」と呼ばれる｝をあらかじめ差し込まれて、エンジンブロックの溝型のギア連結部が備えられるブロック面と動作ブロックの突出型のギア連結部が備えられるブロック面との間に空洞が生じないようにして、エンジンブロックと動作ブロックが安定的に結合することができる煩わしさがある。
【先行技術文献】
【特許文献】
【０００７】
【特許文献１】大韓国民国実用新案公開第１９９８−００６３８２８号
【特許文献２】大韓国民国登録特許第１１４０３２６号
【特許文献３】大韓国民国登録特許第１４７０４３５号
【考案の概要】
【考案が解決しようとする課題】
【０００８】
本考案は、上記のように市販されている動作が可能なブロック玩具のエンジンブロックと、エンジンブロックに結合されて作動する動作ブロックとの組み合わせが堅固でない問題点を解決するために案出されたもので、動作が可能なブロック玩具のエンジンブロックのギア連結部が備えられるブロック面と、エンジンブロックに結合されて作動する動作ブロックのギア連結部が備えられるブロック面にそれぞれ結合部を形成して、両結合部が互いに噛み合わせるように挟まれて、エンジンブロックと動作ブロックが堅固に結合される、「動作が可能なブロック玩具のエンジンブロックと、エンジンブロックに結合されて作動する動作ブロックとの結合構造」を提供することを目的とする。
【課題を解決するための手段】
【０００９】
本考案の「動作が可能なブロック玩具のエンジンブロックと、エンジンブロックに結合されて作動する動作ブロックとの結合構造」は、動作が可能なブロック玩具のエンジンブロック１０のブロック面の中央に、ブロック面に垂直方向に形成される溝型のギア連結部１１があるブロック面に備えられる第１結合部１２と、エンジンブロック１０に結合されて作動する動作ブロック２０のブロック面の中央にブロック面に垂直方向に形成される突出型のギア連結部２１があるブロック面に備えられる第２結合部２２とを含むことを特徴とすることができる。
【００１０】
また、前記第１結合部１２は、エンジンブロック１０の左右底面に形成される溝型のギア連結部１１で一定の間隔を離隔して、ブロック面に垂直方向に中空の円筒形状の周囲に沿って前後左右に形成される外側に開放された形状の第１突出部１３、前記第１突出部１３の形状内に垂直方向に形成され、上端に外側に突出した顎が備えられる第１突起１４、および一つの第１突出部１３ともう一つの第１突出部１３との間に形成される第１溝部１５を含み、前記第２結合部２２は、動作ブロック２０のエンジンブロック１０と結合されるブロック面に形成される突出型のギア連結部２１で一定の間隔を離隔してブロック面に垂直方向に中空の円筒形状の周囲に沿ってエンジンブロック１０と動作ブロック２０が結合されると、エンジンブロック１０の第１溝部１５に差し込まれるように形成される外側に開放された形状の第２突出部２３、前記第２突出部２３の形状内に垂直方向に形成され、上端に外側に突出した顎が備えられる第２突起２４、およびエンジンブロック１０と動作ブロック２０が結合されると、エンジンブロック１０の第１突出部１３と第１突起１４が差し込まれるように一つの第２突出部２３と、もう一つの第２突出部２３との間に形成される第２溝部２５を含むことを特徴とすることができる。
【００１１】
また、前記第１突出部１３と第２突出部２３、前記第１突起１４と第２突起２４、前記第１溝部１５と第２溝部２５は、それぞれ互いに同一の形状で具備され、エンジンブロック１０と動作ブロック２０が結合されると、第１突出部１３が第２溝部２５に、第２突出部２３が第１溝部１５に挿入され、第１突起１４が第２溝部２５に、第２突起２４が第１溝部１５に弾力的に差し込まれながら、エンジンブロック１０と動作ブロック２０が結合されることを特徴とすることができる。
【考案の効果】
【００１２】
本考案によれば、動作が可能なブロック玩具のエンジンブロックのギア連結部が備えられるブロック面と、エンジンブロックに結合されて作動する動作ブロックのギア連結部が備えられるブロック面に、それぞれ結合部を形成して、両結合部が互いに噛み合わせるように挟まれて、エンジンブロックと動作ブロックが堅固に結合される効果がある。
また、エンジンブロックと動作ブロックが堅固に結合され、動作が可能なブロック玩具の作動がスムーズになる効果がある。
【図面の簡単な説明】
【００１３】
【図１】（ａ）は、市販されているＭ製品のエンジンブロックと動作ブロックとの結合構造を示す図で、（ｂ）は、市販されているＭ製品の動作ブロックに図形ブロックを差し込む状態を示す図である。
【図２】ａ）は、本考案の結合構造を有するエンジンブロック実物の斜視図および分解図で、（ｂ）は、本考案の結合構造を有する動作ブロックのうち、回転ブロック実物の斜視図および分解図で、（ｃ）は、本考案の結合構造を有する動作ブロックのうち、ウォーキングブロック実物の斜視図および分解図である。
【図３】本考案の結合構造を有するエンジンブロックの斜視図および側面図である。
【図４】本考案の結合構造を有する動作ブロックのうち、回転ブロックの斜視図である。
【図５】本考案の結合構造を有する動作ブロックのうち、ワォーキングブロックの斜視図である。
【図６】本考案の結合構造を有するエンジンブロック、動作ブロックのうち、回転ブロック、ワーキングブロックが結合される造形物を示す図である。
【考案を実施するための形態】
【００１４】
以下、添付した図面を参考して、本考案の実施例に対して詳細に説明する。エンジンブロック、動作ブロックに内蔵されるギア部の構成は、本考案の技術的特徴ではなく、市販される動作が可能なブロック玩具製品に開示されているので、詳細な説明は省略する。
図２図５を参照すると、本考案の「動作が可能なブロック玩具のエンジンブロック、エンジンブロックに結合されて作動する動作ブロックとの結合構造１」は、動作が可能なブロック玩具のエンジンブロック１０のブロック面の中央にブロック面に垂直方向に形成される溝型のギア連結部１１があるブロック面に備えられる第１結合部１２と、エンジンブロック１０に結合されて作動する動作ブロック２０のブロック面の中央にブロック面に垂直方向に形成される突出型のギア連結２１があるブロック面に備えられる第２結合部２２とを含む。
【００１５】
前記第１結合部１２は、エンジンブロック１０の左右底面に形成される溝型のギア連結部１１で一定の間隔を離隔して、ブロック面に垂直方向に中空の円筒形状の周囲に沿って前後左右に形成される外側に開放された形状の第１突出部１３、前記第１突出部１３の形状内に垂直方向に形成され上端に外側に突出した顎が備えられる第１突起１４、および一つの第１突出部１３ともう一つの第１突出部１３との間に形成される第１溝部１５を含む。
【００１６】
前記第２結合部２２は、動作ブロック２０のエンジンブロック１０と結合されるブロック面に形成される突出型のギア連結部２１で一定の間隔を離隔して、ブロック面に垂直方向に中空の円筒形状の周囲に沿ってエンジンブロック１０と動作ブロック２０が結合されると、エンジンブロック１０の第１溝部１５に差し込まれるように形成される外側に開放された形状の第２突出部２３、前記第２突出部２３の形状内に垂直方向に形成され、上端に外側に突出した顎が備えられる第２突起２４、エンジンブロック１０と動作ブロック２０が結合されると、エンジンブロック１０の第１突出部１３、および第１突起１４が差し込まれるように一つの第２突出部２３ともう一つの第２突出部２３との間に形成される第２溝部２５を含む。
【００１７】
前記第１突出部１３と第２突出部２３、前記第１突起１４と第２突起２４、前記第１溝部１５と第２溝部２５は、それぞれ互いに同一の形状で具備され、エンジンブロック１０と動作ブロック２０が結合されると、第１突出部１３が第２溝部２５に、第２突出部２３が第１溝部１５に挿入され、第１突起１４が第２溝部２５に、第２突起２４が第１溝部１５に弾力的に差し込まれながら、エンジンブロック１０と動作ブロック２０が堅固に結合され、力を入れて引き抜いてない限り、堅固な結合状態を維持する。
【００１８】
エンジンブロック１０と動作ブロック２０が堅固に結合されると、エンジンブロック１０の溝形のギア連結部１１と動作ブロック２０の突出型のギア連結部２１が互いに噛み合わせるように差し込まれて、エンジンブロック１０の回転運動が動作ブロック２０と結合して回転運動、歩行運動、ピストン運動などの様々な動作をすることができるようになる。
【００１９】
図６は、本考案の結合構造を有するエンジンブロック、動作ブロックのうち、回転ブロック、ワォーキングブロックが結合される造形物を示す図であり、上記図面にはパワーを提供するパワーブロック３０、パワーブロック３０に結合され、ギア部が内蔵されて回転運動し、本考案の結合構造を有するエンジンブロック１０、エンジンブロック１０に結合され、ギア部が内蔵されて回転運動し、本考案の結合構造を有する回転ブロック２６、エンジンブロック１０に結合され、ギア部が内蔵されて歩行運動し、本考案の結合構造を有するワーキングブロック２７が結合されたロボットの形状の造形物が図示されている。
パワーブロック３０とエンジンブロック１０との結合は、パワーブロック３０の底面に溝部、エンジンブロック１０の上面に突出部を備えてエンジンブロック１０の突出部をパワーブロック３０の溝部に挿入する方法で結合される。
【００２０】
前記図６には、ロボットの形状の造形物が図示されているが、本考案の結合構造を有するエンジンブロック１０と動作ブロック２０を結合して作成する造形物は、ロボットの形状の造形物に限定されるものではないのは当然である。
【符号の説明】
【００２１】
１：本考案の動作が可能なブロック玩具のエンジンブロックと、エンジンブロックに結合されて作動する動作ブロックとの結合構造
１０：エンジンブロック
１１：溝型のギア連結部
１２：第１結合部
１３：第１突出部
１４：第１突起
１５：第１溝部
２０：動作ブロック
２１：突出型のギア連結部
２２：第２結合部
２３：第２突出部
２４：第２突起
２５：第２溝部
２６：回転ブロック
２７：ウォーキングブロック
３０：パワーブロック
【図１】
0003200641.tif 000003
【図２】
0003200641.tif 000004
【図３】
0003200641.tif 000005
【図４】
0003200641.tif 000006
【図５】
0003200641.tif 000007
【図６】
0003200641.tif 000008